(57)【特許請求の範囲】
【請求項１】
相互に通信可能に接続されたコンテンツ作成端末、メタ情報付与端末、およびユーザ端末を有して構成されたメタ情報付与システムであって、
前記コンテンツ作成端末は、
３次元オブジェクトの名称情報を入力することが可能な情報入力手段と、前記情報入力手段によって入力された名称情報を前記メタ情報付与端末に送信する名称送信手段と、前記メタ情報付与端末から受信する一つまたは複数の機能名情報の中から特定の機能名情報を選択し、選択した特定の機能名情報を前記メタ情報付与端末に送信する機能名選択手段と、を備え、
前記メタ情報付与端末は、
前記名称情報、および前記名称情報と関連付けられる一つまたは複数の空間情報が記憶される記憶手段と、前記名称送信手段から受信する名称情報と前記記憶手段に記憶される前記空間情報とに基づいて機能名情報を検索し、検索した機能名情報を前記コンテンツ作成端末に送信する機能名検索手段と、前記コンテンツ作成端末から受信する前記特定の機能名情報と前記記憶手段に記憶される前記名称情報および前記空間情報とに基づいて属性値を検索し、検索した属性値を前記名称情報および前記空間情報に関連付けて前記記憶手段に記憶する属性値検索手段と、前記記憶手段に記憶された空間情報に基づいて前記属性値を前記３次元オブジェクトにマッピングして前記ユーザ端末に提供するデータ提供手段と、を備えることを特徴とする、
メタ情報付与システム。
【請求項２】
前記メタ情報付与端末は、
前記ユーザ端末を使用するユーザが前記データ提供手段から提供されたデータの中から選択したデータをユーザプロファイルとして記憶する第２の記憶手段と、
前記第２の記憶手段に記憶されるユーザプロファイルに基づいて前記機能名情報を検索する第２の機能名検索手段と、
前記第２の記憶手段に記憶されるユーザプロファイルに基づいて前記属性値を検索する第２の属性値検索手段と、をさらに備え、
前記メタ情報付与端末のデータ提供手段は、
前記第２の機能名検索手段が検索した機能名情報、および前記第２の属性値検索手段が検索した属性値を、前記３次元オブジェクトにマッピングして前記ユーザ端末に提供することを特徴とする、
請求項１に記載のメタ情報付与システム。
【請求項３】
前記メタ情報付与端末は、
前記ユーザが前記データ提供手段から提供されたデータを選択するごとに前記ユーザプロファイルを更新するプロファイル更新手段をさらに備えることを特徴とする、
請求項２に記載のメタ情報付与システム。
【請求項４】
前記メタ情報付与端末の機能名検索手段は、
前記第２の記憶手段に前記ユーザプロファイルとして記憶される機能名情報と前記第１の記憶手段に記憶される機能名情報のうち類似度の高い機能名情報を優先して選択し、
および／または、前記メタ情報付与端末の属性値選択手段は、
前記第２の記憶手段に前記ユーザプロファイルとして記憶される属性値と前記第１の記憶手段に記憶される属性値のうち類似度の高い属性値を優先して選択することを特徴とする、
請求項２または３に記載のメタ情報付与システム。
【請求項５】
前記メタ情報付与端末の機能名検索手段は、
前記機能名情報を検索した後に、検索した機能名情報のうち、ランキングが高い機能名情報を優先して前記コンテンツ作成端末に送信することを特徴とする、
請求項１〜４のいずれかに記載のメタ情報付与システム。
【請求項６】
前記空間情報は、
前記３次元オブジェクトを正面側、右側面側、左側面側、背面側、上面側、および下面側の６つの方向から見た視点情報であることを特徴とする、
請求項１〜５のいずれかに記載のメタ情報付与システム。
【請求項７】
３次元オブジェクトと前記３次元オブジェクトを見るユーザの視点との相対的な位置関係を計算する計算手段と、
前記計算手段によって計算された相対的な位置関係に基づいてメタ情報を選択する選択手段と、
前記選択手段によって選択されたメタ情報を表示する表示手段と、を備え、
前記相対的な位置関係には、
前記３次元オブジェクトごとに定義した座標軸と前記ユーザの視点との角度を示す角度情報が含まれ、
前記選択手段は、
前記メタ情報が有する角度情報が前記計算手段によって計算された角度情報に近い順に、前記メタ情報を選択することを特徴とする、
メタ情報表示システム。
【請求項８】
３次元オブジェクトと前記３次元オブジェクトを見るユーザの視点との相対的な位置関係を計算する計算手段と、
前記計算手段によって計算された相対的な位置関係に基づいてメタ情報を選択する選択手段と、
前記選択手段によって選択されたメタ情報を表示する表示手段と、を備え、
前記相対的な位置関係には、
前記３次元オブジェクトと前記ユーザの視点との間の距離を示す距離情報が含まれ、
前記選択手段は、
前記メタ情報が有する距離情報が前記計算手段によって計算された距離情報に近い順に、前記メタ情報を選択することを特徴とする、
メタ情報表示システム。
【請求項９】
前記相対的な位置関係には、
前記３次元オブジェクトと前記ユーザの視点との間の距離を示す距離情報が含まれ、
前記選択手段は、
前記メタ情報が有する距離情報が前記計算手段によって計算された距離情報に近い順に、前記メタ情報を選択することを特徴とする、
請求項７に記載のメタ情報表示システム。
【請求項１０】
前記表示手段は、
前記メタ情報を前記３次元オブジェクト上に重畳して表示することを特徴とする、
請求項７〜９のいずれかに記載のメタ情報表示システム。
【請求項１１】
請求項１〜６に記載のメタ情報付与システムをさらに備えることを特徴とする、
請求項７〜１０に記載のメタ情報表示システム。
【請求項１２】
相互に通信可能に接続されたコンテンツ作成端末、メタ情報付与端末、およびユーザ端末を有して構成されたメタ情報付与システムであって、
前記コンテンツ作成端末は、
３次元オブジェクトの名称情報を入力することが可能な情報入力手段と、前記情報入力手段によって入力された名称情報を前記メタ情報付与端末に送信する名称送信手段と、を備え、
前記メタ情報付与端末は、
前記名称情報、および前記名称情報と関連付けられる一つまたは複数の空間情報が記憶される記憶手段と、前記名称送信手段から受信する名称情報と前記記憶手段に記憶される前記空間情報とに基づいて機能名情報を検索し、検索した機能名情報の中から特定の機能名情報を選択し、選択した特定の機能名情報と前記記憶手段に記憶される前記名称情報および前記空間情報とに基づいて属性値を検索し、検索した属性値を前記名称情報および前記空間情報に関連付けて前記記憶手段に記憶する属性値検索手段と、前記記憶手段に記憶された空間情報に基づいて前記属性値を前記３次元オブジェクトにマッピングして前記ユーザ端末に提供するデータ提供手段と、を備えることを特徴とする、
メタ情報付与システム。
【請求項１３】
コンテンツ作成端末から受信する名称情報と記憶手段に記憶される空間情報とに基づいて機能名情報を検索し、検索した機能名情報を前記コンテンツ作成端末に送信する機能名検索手段と、前記コンテンツ作成端末から受信する特定の機能名情報と前記記憶手段に記憶される名称情報および空間情報とに基づいて属性値を検索し、検索した属性値を前記名称情報および前記空間情報に関連付けて前記記憶手段に記憶する属性値検索手段と、前記記憶手段に記憶される空間情報に基づいて前記属性値を３次元オブジェクトにマッピングしてユーザ端末に提供するデータ提供手段としてコンピュータを機能させることを特徴とする、
メタ情報付与プログラム。
【請求項１４】
前記コンピュータを、前記ユーザ端末を使用するユーザが前記データ提供手段から提供されたデータの中から選択したデータであるユーザプロファイルに基づいて前記機能名情報を検索する第２の機能名検索手段と、前記ユーザプロファイルに基づいて前記属性値を検索する第２の属性値検索手段としてさらに機能させ、前記データ提供手段を、前記第２の機能名検索手段が検索した機能名情報、および前記第２の属性値検索手段が検索した属性値を前記３次元オブジェクトにマッピングさせて前記ユーザ端末に提供させるように機能させることを特徴とする、
請求項１３に記載のメタ情報付与プログラム。
【請求項１５】
前記コンピュータを、前記ユーザが前記データ提供手段から提供されたデータを選択するごとに前記ユーザプロファイルを更新するプロファイル更新手段としてさらに機能させることを特徴とする、
請求項１４に記載のメタ情報付与プログラム。
【請求項１６】
前記メタ情報付与端末の機能名検索手段を、前記第２の記憶手段に前記ユーザプロファイルとして記憶される機能名情報と前記第１の記憶手段に記憶される機能名情報のうち類似度の高い機能名情報を優先して選択するように機能させ、
および／または、前記メタ情報付与端末の属性値選択手段を、前記第２の記憶手段に前記ユーザプロファイルとして記憶される属性値と前記第１の記憶手段に記憶される属性値のうち類似度の高い属性値を優先して選択するように機能させることを特徴とする、
請求項１４または１５に記載のメタ情報付与プログラム。
【請求項１７】
前記機能名検索手段を、前記機能名情報を検索させた後に、検索させた機能名情報のうち、ランキングが高い機能名情報を優先して前記コンテンツ作成端末に送信させるように機能させることを特徴とする、
請求項１３〜１６のいずれかに記載のメタ情報付与プログラム。
【請求項１８】
３次元オブジェクトと前記３次元オブジェクトを見るユーザの視点との相対的な位置関係を計算する計算手段と、前記計算手段によって計算された相対的な位置関係に基づいてメタ情報を選択する選択手段と、前記選択手段によって選択されたメタ情報を表示する表示手段としてコンピュータを機能させることを備え、
前記相対的な位置関係には、
前記３次元オブジェクトに定義した座標軸と前記視点との角度を示す角度情報が含まれ、
前記選択手段が、前記メタ情報が有する角度情報が前記計算手段によって計算された角度情報に近い順に、前記メタ情報を選択するように機能させることを特徴とする、
メタ情報表示プログラム。
【請求項１９】
３次元オブジェクトと前記３次元オブジェクトを見るユーザの視点との相対的な位置関係を計算する計算手段と、前記計算手段によって計算された相対的な位置関係に基づいてメタ情報を選択する選択手段と、前記選択手段によって選択されたメタ情報を表示する表示手段としてコンピュータを機能させることを備え、
前記相対的な位置関係には、
前記３次元オブジェクトと前記視点との間の距離を示す距離情報が含まれ、
前記選択手段が、前記メタ情報が有する距離情報が前記計算手段によって計算された距離情報の近い順に、前記メタ情報を選択するように機能させることを特徴とする、
メタ情報表示プログラム。
【請求項２０】
前記相対的な位置関係には、
前記３次元オブジェクトと前記視点との間の距離を示す距離情報が含まれ、
前記選択手段が、前記メタ情報が有する距離情報が前記計算手段によって計算された距離情報の近い順に、前記メタ情報を選択するように機能させることを特徴とする、
請求項１８に記載のメタ情報表示プログラム。
【請求項２１】
請求項１３〜１７のいずれかに記載のメタ情報付与プログラム、または請求項１８〜２０のいずれかに記載のメタ情報表示プログラムが記録されていることを特徴とする、
コンピュータ読み取り可能な記録媒体。
【発明の詳細な説明】
【技術分野】
【０００１】
本発明は、３次元オブジェクトに対するユーザの視点に応じて適切なメタ情報を容易に付与することができるメタ情報付与システム、メタ情報表示システム、およびこれらのプログラム、および、当該プログラムを記録したコンピュータ読み取り可能な記録媒体に関する。
【背景技術】
【０００２】
近年、ユーザがＷｅｂ上で情報を検索する技術として様々なサービスが提供されている。例えば、ユーザが地域に関する情報をＷｅｂ上で検索した場合に、該当地域の地図データを併せて提供するサービスや、ユーザが所定のキーワードをＷｅｂ上で検索した場合に、ユーザの興味・嗜好に合致する情報を優先的に提供するサービスなどがある。また、表現力の高いユーザインターフェイスの提供などを目的として、３次元オブジェクトを利用したサービスや、３次元の仮想空間を構築したサービスなどもある。
【０００３】
ところが、Ｗｅｂ上には膨大な情報が存在するため、情報が整理されていない状態でサービスを提供すると、かえってユーザの使い勝手が悪くなってしまうといった問題点があった。このような問題点を解決する一手段として、例えば、検索結果データをメタ情報空間にマップし、このメタ情報空間に基づいた表示を行うように構成した情報検索システムが提案されている（例えば、特許文献１〜４、非特許文献１〜非特許文献５参照）。
【０００４】
また、３次元オブジェクトに関する数多くの情報を効率良く表示するための効果的なデータ提示方法も重要な課題であり、多くの研究がある（例えば、非特許文献６、非特許文献７参照）。特に、コンピュータグラフィクスなどの分野で近年盛んに研究されているような、視点に応じた情報提示は有効であると考えられる。
【特許文献１】特開２００７−２８７０３０号公報
【特許文献２】特開２００５−３４６６０９号公報
【特許文献３】特開２００７−０５２６９３号公報
【特許文献４】特開２００７−１８８３５２号公報
【非特許文献１】河合由起子,官上大輔,田中克己.個人の選好に基づく複数ニュースサイトの記事収集・閲覧システム情報処理学会論文誌 データベース,Vol.46,No.SIG8(TOD26), pp.14-25(2005)
【非特許文献２】河合由起子，熊本忠彦，田中克己.印象と興味に基づくユーザ選好のモデル化手法の提案とニュースサイトへの応用，知能と情報（日本知能情報ファジィ学会誌），Vol.18，No.2, pp.59--69(2006)．
【非特許文献３】河合由起子、"嗜好情報に基づくニュースコンテンツの推薦とその応用-画一的な便利さと多様な嗜好への適応"、情報処理学会誌Vol.48 No.9 pp979-983（2007年9月）
【非特許文献４】Yukiko Kawai,Tadahiko Kumamoto,and Katsumi Tanaka:Fair News Reader: Recommending News Articles with Different Sentiments Based on User Preference, Lecture Notes in Artificial Intelligence, LNAI4692, Springer, pp.612-622, In International Conference on Knowledge-Based Intelligent Information and Engineering Systems (KES '07), Vietri sul Mare, Italy, (September 2007).
【非特許文献５】Adam Jatowt, Yukiko Kawai, Satoshi Nakamura, Yutaka Kidawara and Katsumi Tanaka: Journey to the Past: Proposal of a Framework for Past Web Browser, Proceedings of the 17th ACM Conference on Hypertext and Hypermedia (HT 2006), ACM Press, Odense, Denmark, pp. 135-144 (2006)
【非特許文献６】小谷彬, 小山聡, 田中克己. 複数Web コンテンツの多面的閲覧のための空間インタフェース. 第16 回データ工学ワークショップ(DEWS2005) 論文集, 6C-i7, 2005.
【非特許文献７】Kadobayashi R. and Tanaka K.:3D Viewpoint-based Photo Search and Information Browsing, Proceedings of the 28th Annual International ACM SIGIR Conference on Research and Development in Information Retrieval (SIGIR 2005), pp. 621-622, poster (August 2005).
【発明の開示】
【発明が解決しようとする課題】
【０００５】
しかしながら、上記特許文献１記載の情報検索システムでは、検索結果データに関連付けるメタ情報を独自に作成する必要がある上に、近年、Ｗｅｂ上で多用されている３次元オブジェクトについては何ら考慮がなされていない。また、上記特許文献２〜４および上記非特許文献１〜５においては、自動化の試みがなされてはいるものの、３次元オブジェクトについては同様に何ら考慮がなされていない。
【０００６】
また、３次元オブジェクトに関して、視点依存の効果的なデータ提示方法に関しては、上記非特許文献６では、視点に依存してデータの提示を切り替えるシステムとはなっていない。また、上記非特許文献７では、画像のデータを対象として、視点位置に最も近い位置で撮影した画像を提示するなど、ある程度視点位置に依存したシステムとなってはいるものの、対象が撮影位置の既知な画像データに限定されており一般性がない。さらに、３次元オブジェクトの形状データを用いていない手法であるため、物体の前後関係による隠れなどの場合において対応することが出来ない。
【０００７】
本発明は、このような従来の問題点を解決するためになされたものであって、３次元オブジェクトに対するユーザの視点に応じて適切なメタ情報を容易に付与することができ、従来よりもユーザの利便性を高めることができるメタ情報付与システム、メタ情報表示システム、およびこれらのプログラム、および、当該プログラムを記録したコンピュータ読み取り可能な記録媒体を提供することを目的とする。
【課題を解決するための手段】
【０００８】
本発明は、相互に通信可能に接続されたコンテンツ作成端末、メタ情報付与端末、およびユーザ端末を有して構成されたメタ情報付与システムであって、前記コンテンツ作成端末は、３次元オブジェクトの名称情報を入力することが可能な情報入力手段と、前記情報入力手段によって入力された名称情報を前記メタ情報付与端末に送信する名称送信手段と、前記メタ情報付与端末から受信する一つまたは複数の機能名情報の中から特定の機能名情報を選択し、選択した特定の機能名情報を前記メタ情報付与端末に送信する機能名選択手段と、を備え、前記メタ情報付与端末は、前記名称情報、および前記名称情報と関連付けられる一つまたは複数の空間情報が記憶される記憶手段と、前記名称送信手段から受信する名称情報と前記記憶手段に記憶される前記空間情報とに基づいて機能名情報を検索し、検索した機能名情報を前記コンテンツ作成端末に送信する機能名検索手段と、前記コンテンツ作成端末から受信する前記特定の機能名情報と前記記憶手段に記憶される前記名称情報および前記空間情報とに基づいて属性値を検索し、検索した属性値を前記名称情報および前記空間情報に関連付けて前記記憶手段に記憶する属性値検索手段と、前記記憶手段に記憶された空間情報に基づいて前記属性値を前記３次元オブジェクトにマッピングして前記ユーザ端末に提供するデータ提供手段と、を備えることを特徴とする、メタ情報付与システムである。
【０００９】
本発明はまた、３次元オブジェクトと前記３次元オブジェクトを見るユーザの視点との相対的な位置関係を計算する計算手段と、前記計算手段によって計算された相対的な位置関係に基づいてメタ情報を選択する選択手段と、前記選択手段によって選択されたメタ情報を表示する表示手段と、を備え前記相対的な位置関係には、前記３次元オブジェクトごとに定義した座標軸と前記ユーザの視点との角度を示す角度情報が含まれ、前記選択手段は、前記メタ情報が有する角度情報が前記計算手段によって計算された角度情報に近い順に、前記メタ情報を選択することを特徴とする、メタ情報表示システムである。
【００１０】
本発明はまた、相互に通信可能に接続されたコンテンツ作成端末、メタ情報付与端末、およびユーザ端末を有して構成されたメタ情報付与システムであって、前記コンテンツ作成端末は、３次元オブジェクトの名称情報を入力することが可能な情報入力手段と、前記情報入力手段によって入力された名称情報を前記メタ情報付与端末に送信する名称送信手段と、を備え、前記メタ情報付与端末は、前記名称情報、および前記名称情報と関連付けられる一つまたは複数の空間情報が記憶される記憶手段と、前記名称送信手段から受信する名称情報と前記記憶手段に記憶される前記空間情報とに基づいて機能名情報を検索し、検索した機能名情報の中から特定の機能名情報を選択し、選択した特定の機能名情報と前記記憶手段に記憶される前記名称情報および前記空間情報とに基づいて属性値を検索し、検索した属性値を前記名称情報および前記空間情報に関連付けて前記記憶手段に記憶する属性値検索手段と、前記記憶手段に記憶された空間情報に基づいて前記属性値を前記３次元オブジェクトにマッピングして前記ユーザ端末に提供するデータ提供手段と、を備えることを特徴とする、メタ情報付与システムである。
【００１１】
本発明はまた、コンテンツ作成端末から受信する名称情報と記憶手段に記憶される空間情報とに基づいて機能名情報を検索し、検索した機能名情報を前記コンテンツ作成端末に送信する機能名検索手段と、前記コンテンツ作成端末から受信する特定の機能名情報と前記記憶手段に記憶される名称情報および空間情報とに基づいて属性値を検索し、検索した属性値を前記名称情報および前記空間情報に関連付けて前記記憶手段に記憶する属性値検索手段と、前記記憶手段に記憶される空間情報に基づいて前記属性値を３次元オブジェクトにマッピングしてユーザ端末に提供するデータ提供手段としてコンピュータを機能させることを特徴とする、メタ情報付与プログラムである。
【００１２】
本発明はまた、３次元オブジェクトと前記３次元オブジェクトを見るユーザの視点との相対的な位置関係を計算する計算手段と、前記計算手段によって計算された相対的な位置関係に基づいてメタ情報を選択する選択手段と、前記選択手段によって選択されたメタ情報を表示する表示手段としてコンピュータを機能させることを備え、前記相対的な位置関係には、前記３次元オブジェクトに定義した座標軸と前記視点との角度を示す角度情報が含まれ、前記選択手段が、前記メタ情報が有する角度情報が前記計算手段によって計算された角度情報に近い順に、前記メタ情報を選択するように機能させることを特徴とする、メタ情報表示プログラムである。
【００１３】
本発明はまた、上記メタ情報付与プログラム、または上記メタ情報表示プログラムが記録されていることを特徴とする、コンピュータ読み取り可能な記録媒体である。
【発明の効果】
【００１４】
本発明に係るメタ情報付与システム、メタ情報表示システム、およびこれらのプログラムによれば、３次元オブジェクトに対するユーザの視点に応じて適切なメタ情報を容易に付与または表示することができ、従来よりもユーザの利便性を高めることができる。
【００１５】
また、視点に依存したメタ情報の提示により、例えば、富士山を麓から見た場合と、航空写真による上空から見た場合とでは、同じ対象にも関わらずそれに関連する情報が全く異なっているという、メタ情報の視点依存性を簡易に実現することができ、ユーザの利便性を従来よりも大幅に高めることが可能となる。
【発明を実施するための最良の形態】
【００１６】
以下、図面を用いて、本実施の形態に係るメタ情報付与システムについて詳細に説明する。
【００１７】
＜全体構成＞
まず最初に、本実施の形態に係るメタ情報付与システム１０の全体構成について説明する。図１は本実施の形態に係るメタ情報付与システム１０の全体構成の一例を示したシステム構成図である。
【００１８】
メタ情報付与システム１０は、３次元オブジェクトの作成者（コンテンツ作成者）が利用するコンテンツ作成端末１２と、このコンテンツ作成端末１２によって作成された３次元オブジェクトにメタ情報を付与するメタ情報付与端末１４と、このメタ情報付与端末１４によってメタ情報が付与された３次元オブジェクトを閲覧するためのユーザ端末１６と、を有して構成されている。これらのコンテンツ作成端末１２、メタ情報付与端末１４、およびユーザ端末１６は、ＷＡＮやＬＡＮなどのネットワークを介して、相互に通信可能に接続されているとともに他の不特定多数の端末（図示省略）にも通信可能に接続されている。
【００１９】
＜コンテンツ作成端末＞
次に、コンテンツ作成端末１２について説明する。コンテンツ作成端末１２は、３次元オブジェクトの名称情報ＮＩを入力することが可能な情報入力手段１２ａと、この情報入力手段１２ａによって入力された名称情報ＮＩをメタ情報付与端末１４に送信する名称送信手段１２ｂと、メタ情報付与端末１４から受信する一つまたは複数の機能名情報ＦＩの中から特定の機能名情報ＳＦＩを選択し、選択した特定の機能名情報ＳＦＩをメタ情報付与端末１４に送信する機能名選択手段１２ｃと、を備える。このコンテンツ作成端末１２としては、例えば、汎用のＰＣ（パーソナルコンピュータ）を適用することができる。
【００２０】
情報入力手段１２ａは、３次元オブジェクトの名称情報ＮＩを入力するための手段であり、例えば、ＰＣのキーボード、マウスなどのハードウェアや、コンテンツ作成者によって入力された名称情報ＮＩを取得してＰＣの記憶手段に記憶するためのソフトウェア（プログラム）などが該当する。なお、３次元オブジェクトの名称情報ＮＩとは、３次元オブジェクトに付与される名称や略称の情報のことであり、例えば、デジタルカメラの３次元オブジェクトでは、デジタルカメラ、デジカメ、カメラなどの文字列データが名称情報ＮＩに該当する。
【００２１】
名称送信手段１２ｂは、情報入力手段１２ａによって入力された名称情報ＮＩをメタ情報付与端末１４に送信するための手段であり、例えば、ＰＣの通信Ｉ／Ｆなどのハードウェアや、入力された名称情報ＮＩを通信Ｉ／Ｆを介して外部（この例では、メタ情報付与端末１４）に送信するためのソフトウェアなどが該当する。
【００２２】
機能名選択手段１２ｃは、メタ情報付与端末１４から受信する一つまたは複数の機能名情報ＦＩ（詳細は後述）の中から特定の機能名情報ＳＦＩを選択し、選択した特定の機能名情報ＳＦＩをメタ情報付与端末１４に送信するための手段であり、例えば、ＰＣのキーボード、マウス、通信Ｉ／Ｆなどのハードウェアや、コンテンツ作成端末１２を使用するコンテンツ作成者に特定の機能名情報ＳＦＩを選択させたり、特定の機能名情報ＳＦＩを通信Ｉ／Ｆを介して外部（この例では、メタ情報付与端末１４）に送信するためのソフトウェアなどが該当する。なお、本発明に係る「機能名選択手段」は、本実施の形態に係る機能名選択手段１２ｃのように、特定の機能名情報ＳＦＩをコンテンツ作成者が選択するものに限定されず、例えば、コンテンツ作成端末が特定の機能名情報ＳＦＩを自動的に（コンテンツ作成者によらずに）選択するように構成してもよく、また、メタ情報付与端末１４が、機能名情報ＦＩを検索するとともに特定の機能名情報ＳＦＩの選択を（コンテンツ作成端末１２を介することなく）自動的に行ってもよい。
【００２３】
＜メタ情報付与端末＞
次に、メタ情報付与端末１４について説明する。メタ情報付与端末１４は、名称情報ＮＩおよび名称情報ＮＩと関連付けられる一つまたは複数の空間情報ＰＩが記憶される記憶手段１４ａと、名称送信手段１２ｂから受信する名称情報ＮＩと記憶手段１４ａに記憶される空間情報ＰＩとに基づいて機能名情報ＦＩを検索し、検索した機能名情報ＦＩをコンテンツ作成端末１２に送信する機能名検索手段１４ｂと、コンテンツ作成端末１２から受信する特定の機能名情報ＳＦＩと記憶手段１４ａに記憶される名称情報ＮＩおよび空間情報ＰＩとに基づいて属性値ＢＶを検索し、検索した属性値ＢＶを名称情報ＮＩおよび空間情報ＰＩに関連付けて記憶手段１４ａに記憶させる属性値検索手段１４ｃと、ユーザ端末１６を使用するユーザがデータ提供手段１４ｇから提供されたデータの中から選択したデータをユーザプロファイルＵＰとして記憶する第２の記憶手段１４ｄと、ユーザがデータ提供手段１４ｇから提供されたデータを選択するごとにユーザプロファイルＵＰを更新するプロファイル更新手段１４ｅと、ユーザプロファイルＵＰに基づいて３次元データにマッピングする属性値ＢＶ´を選択する属性値選択手段１４ｆと、空間情報ＰＩとコンテンツ作成端末１２から受信する３次元オブジェクトＯＪに基づいて属性値ＢＶ´を３次元オブジェクトにマッピングしてユーザ端末１６に提供するデータ提供手段１４ｇと、を備える。このメタ情報付与端末１４としては、例えば、サーバやＰＣを適用することができる。
【００２４】
記憶手段１４ａは、上述の名称情報ＮＩと一つまたは複数の空間情報ＰＩとを関連付けして記憶するための手段であり、例えば、ＰＣに搭載されたハードディスクやＤＶＤなどのハードウェアが該当する。なお、空間情報ＰＩとは、ユーザが３次元オブジェクトを観察する際の視点に関する情報のことであり、例えば、３次元オブジェクトを正面側、右側面側、左側面側、背面側、上面側、および下面側の６つの方向から見た視点情報が該当する。本実施の形態に係る記憶手段１４ａには、図２に示すように、１つの名称情報ＮＩと、この１つの名称情報ＮＩに対して１つまたは複数の空間情報ＰＩが関連付けされて予め記憶されており、例えば、「デジタルカメラ」という名称情報ＮＩには、「正面」、「右側面」、「左側面」、「背面」、「上面」、および「下面」などの複数の空間情報ＰＩが予め記憶されている。
【００２５】
なお、本発明に係る「空間情報」は、記憶手段に予め記憶される情報に限定されるものではなく、例えば、検索などによって取得され、その後に記憶手段に記憶される情報も含まれる。また、本発明に係る「空間情報」は、「正面」や「右側面」など、３次元オブジェクトに対する視点を直接的に表現する言葉に限定されるものではなく、例えば、「頭」などの言葉自体は空間情報を持たないが、車などの３次元オブジェクトを対象とした場合には、その３次元オブジェクトの「正面」を指すことがあるため、本発明に係る「空間情報」に含まれる。さらに、このような情報を全て記憶手段に予め記憶しておくことは難しいため、例えば、「車」や「正面」などの言葉をキーワードとして検索し、検索によって得られた文書中から抽出される単語を空間情報ＰＩとして記憶手段に記憶することができる。このような例としては、他にも「本」の「背中」や、「ペン」の「先」などのように無数にある。
【００２６】
機能名検索手段１４ｂは、コンテンツ作成端末１２の名称送信手段１２ｂから受信する名称情報ＮＩと、記憶手段１４ａに記憶された空間情報ＰＩとに基づいて機能名情報ＦＩを検索し、検索した機能名情報ＦＩをコンテンツ作成端末１２に送信するための手段であり、例えば、ＰＣの通信Ｉ／Ｆなどのハードウェアや、名称情報ＮＩや機能名情報ＦＩを通信Ｉ／Ｆを介して外部に送受信したり、名称情報ＮＩや空間情報ＰＩに基づいて機能名情報ＦＩを検索するためのソフトウェアなどが該当する。なお、機能名情報ＦＩとは、名称情報ＮＩや空間情報ＰＩに基づいて検索される情報のことであり、例えば、デジタルカメラの３次元オブジェクトでは、レンズ、カメラ、カード、画素、輝度、補正、測光、広角、赤外線、オート、ズーム、メモリ、フラッシュなどの文字列データがこれに該当する。また、これらの文字列データの他、ＵＲＬ情報など、３次元オブジェクトが有する機能とは無関係な情報も該当することがある。
【００２７】
より具体的には、機能名検索手段１４ｂは、名称情報ＮＩと空間情報ＰＩを検索キーワードとし、公知の検索エンジンなどによってネットワークに接続された不特定多数の端末（Ｗｅｂ）から機能名情報ＦＩに該当する情報を収集する。例えば、名称情報ＮＩが「デジタルカメラ」であり、空間情報ＰＩが「正面」である場合には、「デジタルカメラ」と「正面」を検索キーワードとした検索を行い、レンズ、ズームなどの機能名情報ＦＩを収集する。なお、機能名情報ＦＩの収集方法は特に限定されないが、例えば、形態素解析により単語の出現頻度であるｔｆ＝ｌｏｇ（出現回数＋１）／ｌｏｇ（総単語出現回数）を算出し、このｔｆ値の高い単語を収集することが考えられる。また、このようにして得られたｔｆ値を用いて機能名情報ＦＩを順序付けることで、メタ情報付与端末１４が、機能名情報ＦＩを検索するとともに特定の機能名情報ＳＦＩの選択を（コンテンツ作成端末１２を介することなく）自動的に行うこともできる。
【００２８】
属性値検索手段１４ｃは、コンテンツ作成端末１２から受信する特定の機能名情報ＳＦＩと記憶手段１４ａに記憶された名称情報ＮＩおよび空間情報ＰＩとに基づいて属性値ＢＶを検索し、検索した属性値ＢＶを名称情報ＮＩおよび空間情報ＰＩに関連付けて記憶手段１４ａに記憶させるための手段であり、例えば、ＰＣの通信Ｉ／Ｆなどのハードウェアや、特定の機能名情報ＳＦＩを通信Ｉ／Ｆを介して受信したり、特定の機能名情報ＳＦＩ、名称情報ＮＩおよび空間情報ＰＩに基づいて属性値ＢＶを検索するためのソフトウェアなどが該当する。なお、属性値ＢＶとは、特定の機能名情報ＳＦＩ、名称情報ＮＩおよび空間情報ＰＩに基づいて検索される情報のことであり、主として、上述の機能名情報ＦＩに含まれる「３次元オブジェクトが有する機能の情報」が該当する。例えば、デジタルカメラの３次元オブジェクトでは、機能名情報ＦＩが「レンズ」、の場合、「焦点距離５０ｍｍ」「広角レンズ」「レンズメーカのＵＲＬ」などが属性値ＢＶに該当する。属性値検索手段１４ｃは、例えば、図２に示すように、「デジタルカメラ」という名称情報ＮＩ、および「正面」という空間情報ＰＩに、検索した「レンズ」や「ズーム」などの機能名情報ＦＩを関連付けして記憶手段１４ａに記憶させたり、「デジタルカメラ」という名称情報ＮＩ、および「右側面」という空間情報ＰＩおよび機能名情報「レンズ」をもとに、検索した「焦点距離５０ｍｍ」「広角レンズ」「レンズメーカのＵＲＬ」などの属性値ＢＶを関連付けして記憶手段１４ｂに記憶させる。
【００２９】
第２の記憶手段１４ｄは、ユーザ端末１６を使用するユーザがデータ提供手段１４ｇから提供されたデータの中から選択したデータをユーザプロファイルＵＰとして記憶するための手段であり、例えば、ＰＣに搭載されたハードディスクやＤＶＤなどのハードウェアが該当する。なお、ユーザプロファイルＵＰには、ユーザ端末１６を使用するユーザの興味・嗜好に関する情報が記憶され、例えば、ユーザが閲覧したホームページのＵＲＬ情報やホームページから取得したキーワード、ユーザが検索時に使用した検索キーワードなどの情報が記憶される。
【００３０】
プロファイル更新手段１４ｅは、ユーザがデータ提供手段１４ｇから提供されたデータを選択するごとにユーザプロファイルＵＰを更新するための手段であり、例えば、ユーザ端末１６を使用したユーザが閲覧したホームページのＵＲＬ情報やホームページから取得したキーワード、ユーザが検索時に使用した検索キーワードなどの情報が更新された場合に、更新後の情報をユーザプロファイルＵＰに記録するためのソフトウェアなどが該当する。
【００３１】
属性値選択手段１４ｆは、ユーザプロファイルＵＰに基づいて３次元オブジェクトＯＪにマッピングする属性値ＢＶ´を選択する手段である。この属性値選択手段１４ｆは、ユーザプロファイルＵＰを参照してユーザの興味・嗜好に関する情報を取得し、記憶手段１４ａに記憶された属性値ＢＶの中からユーザの興味・嗜好に合致する情報を、３次元オブジェクトＯＪにマッピングする属性値ＢＶ´として選択する。なお、ユーザの興味・嗜好に関する情報の取得方法は特に限定されないが、例えば、ユーザが閲覧したページのｔｆ値が高い単語（特徴語）のｔｆ値をベクトルＶ１の要素とし、このベクトルＶ１と各ページの特徴語のｔｆ値をベクトルの要素としたベクトルＶ２とのコサイン相関を算出し、相関値の高い順にページの情報を収集することが考えられる。
【００３２】
データ提供手段１４ｇは、空間情報ＰＩと、コンテンツ作成端末から受信する３次元オブジェクトＯＪに基づいて、属性値ＢＶ´を３次元オブジェクトＯＪにマッピングしてユーザ端末１６に提供するための手段である。その際、マッピングしたメタ情報は単にテキストとして独立した情報表示窓などに表示するだけではなく例えば、３次元オブジェクトＯＪに属性値ＢＶ´を重畳して表示することなどはインタフェースとして効果が高い。そのような効果的な表示ためのソフトウェアは、ユーザ端末１６が有していることが好ましい。また、データ提供手段１４ｇは、３次元オブジェクトＯＪを閲覧するユーザの視点に対応する空間情報ＰＩを参照し、この空間情報ＰＩに対応し、且つ、属性値選択手段１４ｆによって選択された属性値ＢＶ´を取得する。そして、取得した属性値ＢＶ´を３次元オブジェクトＯＪに空間情報ＰＩを参照し、マッピングしてユーザ端末１６に提供する。このマッピング情報を用いれば、例えば、ユーザがデジタルカメラの３次元オブジェクトを正面側から閲覧している場合には、ユーザの視点（この例では、正面）に対応する空間情報ＰＩ（この例では、正面）を参照し、この空間情報ＰＩに対応し、且つ、属性値選択手段１４ｆによって選択された属性値ＢＶｃ´（例えば、焦点距離５０ｍｍという文字列データ）を取得する。そして、取得した属性値ＢＶｃ´（焦点距離５０ｍｍという文字列データ）を表示することが可能となる。
【００３３】
また、データ提供手段１４ｇがユーザに提供するデータとしては、属性値ＢＶ´の全てとし、視点に依存した表示に関してはユーザ端末１６で行う方式が考えられる。この場合、視点依存に関する計算やデータ選択処理がユーザ端末１６内で完結するため、操作性が良くなる利点がある。一方で、データ提供手段１４ｇは、ユーザ端末１６からの視点情報を受け取り、視点に応じた空間情報ＰＩに対応した属性値ＢＶｃ´のみを提供しても良い。この場合、属性値ＢＶｃ´のデータサイズが大きい場合などにおいて、通信するデータのサイズを抑えられるなどのメリットがある。
【００３４】
なお、３次元オブジェクトＯＪにマッピングされた属性値の表示は、３次元オブジェクトＯＪに重畳表示されると効果が高い。その方法としては、例えば、３次元オブジェクトごとに物体座標系を定義し、ユーザの視点とのなす角からユーザの見ている角度を計算し、計算された角度情報に基づいた属性値を表示することで実現することができる。この場合、属性値が有する角度情報が、計算された角度情報に近い順に属性値を選択して表示するとさらに効果的である。また、３次元オブジェクトとユーザの視点との間の距離を計測し、その距離情報に基づいた属性値を表示することも考えられる。この場合、属性値が有する距離情報が、計算された距離情報に近い順に属性値を選択して表示するとさらに効果的である。
【００３５】
＜メタ情報付与システムの動作＞
次に、本実施の形態に係るメタ情報付与システム１０の動作について説明する。図３は本実施の形態に係るメタ情報付与システム１０の動作の流れの一例を示したシーケンスチャートである。
【００３６】
ステップＳ１１では、コンテンツ作成端末１２の情報入力手段１２ａが、コンテンツ作成者に３次元オブジェクトの名称情報ＮＩを入力させ、ステップＳ１２では、名称送信手段１２ｂが、入力させた名称情報ＮＩをメタ情報付与端末１４に送信する。
【００３７】
続いて、メタ情報付与端末１４の機能名検索手段１４ｂが、ステップＳ２１において、コンテンツ作成端末１２の名称送信手段１２ｂから名称情報ＮＩを受信した後、ステップＳ２２において、名称情報ＮＩと空間情報ＰＩに基づいて機能名情報ＦＩを検索し、検索した機能名情報ＦＩをコンテンツ作成端末１２に送信する。なお、上述の通り、本発明に係る「空間情報」は、記憶手段に予め記憶される情報に限定されるものではなく、例えば、検索などによって取得され、その後に記憶手段に記憶される情報も含まれる。そのため、図３では、機能名検索手段１４ｂが記憶手段ＤＢ１の中から空間情報ＰＩを検索する例を示したが、Ｗｅｂの検索によって（記憶手段ＤＢ１を参照することなく）空間情報ＰＩを取得してもよい。
【００３８】
続いて、コンテンツ作成端末１２の機能名選択手段１２ｃが、ステップＳ１３において、メタ情報付与端末１４の機能名検索手段１４ｂから機能名情報ＦＩを受信した後、ステップＳ１４、Ｓ１５において、一つまたは複数の機能名情報ＦＩの中から特定の機能名情報ＳＦＩを選択し、選択した特定の機能名情報ＳＦＩをメタ情報付与端末１４に送信する。なお、上述の通り、本発明に係る「機能名選択手段」は、特定の機能名情報ＳＦＩをコンテンツ作成者が選択する場合に限定されない。そのため、図３では、機能名選択手段１２ｃがコンテンツ作成者に特定の機能名情報ＳＦＩを選択させる例を示したが、例えば、コンテンツ作成端末１２が特定の機能名情報ＳＦＩを自動的に（コンテンツ作成者によらずに）選択してもよく、また、メタ情報付与端末１４が、機能名情報ＦＩを検索するとともに特定の機能名情報ＳＦＩの選択を（コンテンツ作成端末１２を介することなく）自動的に行ってもよい。
【００３９】
続いて、メタ情報付与端末１４の属性値検索手段１４ｃが、ステップＳ２３において、コンテンツ作成端末１２の機能名選択手段１２ｃから特定の機能名情報ＳＦＩを受信した後、ステップＳ２４において、名称情報ＮＩ、空間情報ＰＩ、特定の機能名情報ＳＦＩに基づいて属性値ＢＶを検索し、検索した属性値ＢＶを名称情報ＮＩおよび空間情報ＰＩに関連付けて記憶手段１４ａに記憶させる。
【００４０】
続いて、ステップＳ２５では、メタ情報付与端末１４の属性値選択手段１４ｆが、ユーザプロファイルＵＰに基づいて３次元オブジェクトＯＪにマッピングする属性値ＢＶ´を選択し、ステップＳ２６、Ｓ２７では、データ提供手段１４ｇが、空間情報ＰＩとコンテンツ作成端末１２から受信する３次元オブジェクトＯＪとに基づいて属性値ＢＶ´を３次元オブジェクトＯＪにマッピングしてユーザ端末１６に提供する。
【００４１】
ステップＳ３２では、ユーザ端末１６が、メタ情報として属性値ＢＶ´が付与された３次元オブジェクトＯＪをデータ提供手段１４ｇから取得する。また、次のステップＳ３３では、ユーザ端末１６が、３次元オブジェクトＯＪに属性値ＢＶ´を重畳し、ユーザ端末１６が備える液晶表示装置などの表示手段に表示する。なお、これらの表示方法は、上述の通り複数考えられるが、ここでは、３次元オブジェクトごとに物体座標系を定義し、ユーザの視点とのなす角からユーザの見ている角度を計算し、属性値が有する角度情報が、計算された角度情報に近い順に属性値を選択して表示する。これにより、ユーザ端末１６を使用するユーザは、３次元オブジェクトＯＪに対するユーザの視点に依存したメタ情報を閲覧することができる。
【００４２】
＜実験例＞
次に、本実施の形態に係るメタ情報付与システム１０の実験例について説明する。図４（ａ）はユーザがデジタルカメラの３次元オブジェクトをデジタルカメラの右斜め前から閲覧している場合のメタ情報の表示例を示した図であり、同図（ｂ）はユーザがデジタルカメラの３次元オブジェクトをデジタルカメラの左後方から閲覧している場合のメタ情報の表示例を示した図である。
【００４３】
この実験では、図４（ａ）に示すように、デジタルカメラの正面と右側面という空間情報ＰＩには、カメラ（Ｃａｍｅｒａ）やレンズ（Ｌｅｎｓ）などの機能名情報ＦＩ（ＳＦＩ）がマッピングされており、デジタルカメラを右斜め前から見た３次元画像とともに、正面と右側面という空間情報ＰＩに対応する機能名情報ＦＩ（ＳＦＩ）が表示されている。また、図４（ｂ）に示すように、デジタルカメラの背面と左側面という空間情報ＰＩには、メモリ（Ｍｅｍｏｒｙ）や画素（Ｐｉｘｅｌ）などの機能名情報ＦＩ（ＳＦＩ）がマッピングされており、デジタルカメラを左後方から見た画像とともに、背面と左側面という空間情報ＰＩに対応する機能名情報ＦＩ（ＳＦＩ）が表示されている。
【００４４】
また、図４（ａ）および図４（ｂ）の右下のフレームには、名称情報ＮＩおよび機能名情報ＦＩ（ＳＦＩ）から検索された、属性値ＢＶ（ＢＶ´）が表示されていることが分かる。この例の場合では、全ての属性値ＢＶ（ＢＶ´）はＵＲＬ情報を持っており、そのうちの一つのリンク先のコンテンツ情報が左側のフレームに表示されている。
【００４５】
また、実験では、名称情報ＮＩを「デジタルカメラ」とするとともに、機能名情報ＦＩ（ＳＦＩ）および属性値ＢＶの検索精度を上げるために「主な仕様」という検索キーワードを付け加えて検索を行った。そして、ランキングの高かった上位５０件の機能名情報ＦＩ（ＳＦＩ）および属性値ＢＶの妥当性を被験者４名のアンケートによって調査した結果、６６％の機能名情報ＦＩ（ＳＦＩ）および属性値ＢＶが妥当性ありとの結論を得た。また、被験者によるユーザプロファイルＵＰに基づいて機能名情報ＦＩ（ＳＦＩ）および属性値ＢＶを抽出した結果においても、約６０％について妥当性ありとの結論を得た。
【００４６】
図５（ａ）は、ユーザが人物の顔の３次元オブジェクトを正面から閲覧している場合のメタ情報の表示例を示した図であり、同図５（ｂ）はユーザが３次元オブジェクトを横から閲覧している場合のメタ情報の表示例を示した図である。
【００４７】
図５（ｂ）では、横顔に関する情報として、その人の経歴に関するものが表示された。これは、空間的な単語がセマンテックには別の意味合いを持つことがあるため（「横顔」は文字通りその人の横顔を表す以外に、その人の「経歴」を指すことがあること）に生じた現象であり、今回の発明はこのようにセマンテックな情報を物理的な空間として表示できることをこの実験は示している。
【００４８】
以上説明したように、本実施に形態に係るメタ情報付与システム１０は、相互に通信可能に接続されたコンテンツ作成端末１２、メタ情報付与端末１４、およびユーザ端末１６を有して構成されたメタ情報付与システムであって、前記コンテンツ作成端末１２は、３次元オブジェクトの名称情報ＮＩを入力することが可能な情報入力手段１２ａと、前記情報入力手段１２ａによって入力された名称情報ＮＩを前記メタ情報付与端末１４に送信する名称送信手段１２ｂと、前記メタ情報付与端末１４から受信する一つまたは複数の機能名情報ＦＩの中から特定の機能名情報ＳＦＩを選択し、選択した特定の機能名情報ＳＦＩを前記メタ情報付与端末１４に送信する機能名選択手段１２ｃと、を備え、前記メタ情報付与端末１４は、前記名称情報ＮＩおよび前記名称情報ＮＩと関連付けられる一つまたは複数の空間情報ＰＩが記憶される記憶手段１４ａと、前記名称送信手段１２ｂから受信する名称情報ＮＩと前記記憶手段１４ａに記憶される前記空間情報ＰＩとに基づいて機能名情報ＦＩを検索し、検索した機能名情報ＦＩを前記コンテンツ作成端末１２に送信する機能名検索手段１４ｂと、前記コンテンツ作成端末１２から受信する前記特定の機能名情報ＳＦＩと前記記憶手段１４ａに記憶される前記名称情報ＮＩおよび前記空間情報ＰＩとに基づいて属性値ＢＶを検索し、検索した属性値ＢＶを前記名称情報ＮＩおよび前記空間情報ＰＩに関連付けて前記記憶手段１４ａに記憶する属性値検索手段１４ｃと、前記記憶手段１４ａに記憶される空間情報ＰＩに基づいて前記属性値ＢＶを前記３次元オブジェクトＯＪにマッピングして前記ユーザ端末１６に提供するデータ提供手段１４ｇと、を備えることを特徴とする、メタ情報付与システムである。
【００４９】
本実施に形態に係るメタ情報付与システム１０によれば、３次元オブジェクトに対するユーザの視点（正面、側面などの空間情報）に応じて適切なメタ情報を容易に付与し、視点に依存した標示をすることができ、従来よりもユーザの利便性を高めることができる。
【００５０】
また、前記メタ情報付与端末１４は、前記ユーザ端末を使用するユーザが前記データ提供手段から提供されたデータの中から選択したデータをユーザプロファイルＵＰとして記憶する第２の記憶手段１４ｄと、前記第２の記憶手段に記憶されるユーザプロファイルＵＰに基づいて前記機能名情報ＦＩを検索する第２の機能名検索手段と、前記第２の記憶手段に記憶されるユーザプロファイルに基づいて前記属性値ＢＶを検索する第２の属性値検索手段と、をさらに備え、前記メタ情報付与端末１４のデータ提供手段１４ｇは、前記第２の機能名検索手段が検索した機能名情報ＦＩ、および前記第２の属性値検索手段が検索した属性値ＢＶを、前記３次元オブジェクトＯＪにマッピングして前記ユーザ端末１６に提供するように構成してもよい。このような構成とすれば、ユーザの興味や嗜好に合致したメタ情報を３次元オブジェクトに付与することができ、ユーザの利便性をさらに高めることができる場合がある。
【００５１】
また、前記メタ情報付与端末１４は、前記ユーザが前記データ提供手段１４ｇから提供されたデータを選択するごとに前記ユーザプロファイルＵＰを更新するプロファイル更新手段１４ｅをさらに備えてもよい。このような構成とすれば、ユーザの興味や嗜好が変化したようなときでもユーザの興味や嗜好に合致したメタ情報を３次元オブジェクトに付与することができ、ユーザの利便性をさらに高めることができる場合がある。
【００５２】
また、前記メタ情報付与端末１４の機能名検索手段１４ｂは、前記機能名情報ＦＩを検索した後に、検索した機能名情報ＦＩのうち、ランキングが高い機能名情報ＦＩを優先して前記コンテンツ作成端末１２に送信する（例えば、形態素解析により単語の出現頻度であるｔｆ＝ｌｏｇ（出現回数＋１）／ｌｏｇ（総単語出現回数）を算出し、このｔｆ値の高い機能名情報ＦＩを優先してコンテンツ作成端末１２に送信する）ように構成してもよい。、なお、「ランキング」の手法は、目的に応じていろいろな方式を利用可能である。先の例では、所定のキーワードで検索を行った結果、上位にランキングされたページ内のコンテンツを構文解析し、ｔｆ値を計算し、「ｔｆ値が高い」順にランキングしたものである。これ以外にも、ｔｆ・ｉｄｆ値を用いたり、出現回数のみを用いてランキングしても良い。また、固有名詞のみを選択することなども考えられる。このように構成すれば、コンテンツ作成端末に送信する機能名情報から名称情報や空間情報との関連性が低いノイズを除去することができ、機能名情報の妥当性を高めることができる場合がある。
【００５３】
また、前記空間情報ＰＩは、前記３次元オブジェクトＯＪを正面側、右側面側、左側面側、背面側、上面側、および下面側の６つの方向から見た視点情報であってもよい。このような構成とすれば、３次元オブジェクトの６方向にメタ情報を付与することができ、ユーザの様々な視点に対応したメタ情報を付与することができる場合がある。さらに、空間情報ＰＩは検索により得ても良い。これにより、効率よく空間情報と関連のあるメタ情報を獲得することができる。
【００５４】
また、３次元オブジェクトと前記３次元オブジェクトを見るユーザの視点との相対的な位置関係を計算する計算手段と、前記計算手段によって計算された相対的な位置関係に基づいてメタ情報を選択する選択手段と、前記選択手段によって選択されたメタ情報を表示する表示手段と、を備えてもよい。
【００５５】
このような構成とすれば、視点に依存したメタ情報の提示により、例えば、富士山を麓から見た場合と、航空写真による上空から見た場合とでは、同じ対象にも関わらずそれに関連する情報が全く異なっているという、メタ情報の視点依存性を簡易に実現することができ、ユーザの利便性を従来よりも大幅に高めることが可能となる。
【００５６】
また、前記相対的な位置関係には、前記３次元オブジェクトごとに定義した座標軸と前記ユーザの視点との角度を示す角度情報が含まれ、前記選択手段は、前記メタ情報が有する角度情報が前記計算手段によって計算された角度情報に近い順に、前記メタ情報を選択してもよいし、前記相対的な位置関係には、前記３次元オブジェクトと前記ユーザの視点との間の距離を示す距離情報が含まれ、前記選択手段は、前記メタ情報が有する距離情報が前記計算手段によって計算された距離情報に近い順に、前記メタ情報を選択してもよい。
【００５７】
また、前記表示手段は、前記メタ情報を前記３次元オブジェクト上に重畳して表示してもよい。このように構成すれば、メタ情報の視点依存性をより高めることができ、ユーザの利便性をより一層高めることが可能となる。
【００５８】
なお、上記図３では、ステップＳ１６において３次元オブジェクトＯＪをメタ情報付与端末１４に送信する例を示したが、３次元オブジェクトＯＪを送信するタイミングはこの例に限定されず、また、コンテンツ作成端末１２が、メタ情報付与端末１４を介することなく３次元オブジェクトＯＪをユーザ端末１６に直接送信するように構成してもよい。
【００５９】
また、上記図３では、ステップＳ３１においてユーザ端末１６がユーザプロファイルＵＰを更新する例を示したが、ユーザプロファイルＵＰを更新するタイミングはこの例に限定されず、また、ユーザプロファイルＵＰを更新する必要がなければ、ユーザプロファイルＵＰを予めメタ情報付与端末１４の記憶手段に記憶しておいてもよい。
【００６０】
また、上記実施例では、メタ情報付与システムを、コンテンツ作成端末１２、メタ情報付与端末１４、ユーザ端末の３台で構成したが、本発明はこれに限定されず、１台または２台、あるいは４台以上で構成してもよい。すなわち、本発明に係るコンテンツ作成端末、メタ情報付与端末、ユーザ端末に対応する機能を有していれば、ハードウェア構成は特に限定されない。
【００６１】
なお、本発明に係るメタ情報付与システムの構成は、上記した実施の形態に限定されるものではなく、本発明の要旨を逸脱しない範囲内において種々変更を加え得ることは勿論である。
【産業上の利用可能性】
【００６２】
本発明に係るメタ情報付与システムは、コンテンツビジネスやネットビジネスなどに特に好適である。また、医療の分野においてもＶＲシステムを用いたシステムが多くあるが、視点依存のメタ情報表示システムはそれらで効果的に利用できる可能性がある。さらに軍事関連においても、視点依存によるメタ情報表示は多くの利用価値が考えられる。
【図面の簡単な説明】
【００６３】
【図１】本実施の形態に係るメタ情報付与システムの全体構成の一例を示したシステム構成図である。
【図２】メタ情報付与端末の記憶手段に記憶される名称情報、空間情報、機能名情報、属性値の一例を示した図である。
【図３】本実施の形態に係るメタ情報付与システムの動作の流れの一例を示したシーケンスチャートである。
【図４】（ａ）ユーザがデジタルカメラの３次元オブジェクトをデジタルカメラの右斜め前から閲覧している場合のメタ情報の表示例を示した図である。（ｂ）ユーザがデジタルカメラの３次元オブジェクトをデジタルカメラの左後方から閲覧している場合のメタ情報の表示例を示した図である。
【図５】（ａ）人物の顔の３次元オブジェクトを正面から閲覧している場合のメタ情報の表示例を示した図である。（ｂ）ユーザが３次元オブジェクトを横から閲覧している場合のメタ情報の表示例を示した図である。
【符号の説明】
【００６４】
１０  メタ情報付与システム
１２  コンテンツ作成端末
１２ａ  情報入力手段
１２ｂ  名称送信手段
１２ｃ  機能名選択手段
１４  メタ情報付与端末
１４ａ  記憶手段
１４ｂ  機能名検索手段
１４ｃ  属性値検索手段
１４ｄ  第２の記憶手段
１４ｅ  プロファイル更新手段
１４ｆ  属性値選択手段
１４ｇ  データ提供手段
１６  ユーザ端末
ＮＩ  名称情報
ＰＩ  空間情報
ＦＩ  機能名情報
ＢＶ  属性値
ＵＰ  ユーザプロファイル
ＯＪ  ３次元オブジェクト
【図１】
0005186630.tif 000002
【図２】
0005186630.tif 000003
【図３】
0005186630.tif 000004
【図４】
0005186630.tif 000005
【図５】
0005186630.tif 000006